(57)【要約】【課題】光ファイバを傷つけることなく、光ファイバと外装被覆との付着力を低下させて外装被覆を容易に除去できるようにする光ファイバ心線テープ被覆除去具を提供する。【解決手段】本発明の光ファイバ心線テープ被覆除去具１０は、一対の可動片１１を回転自在に支持した鋏形に構成され、可動片１１の先端１２同士を近づけることで、各可動片１１の先端１２に取り付けられている把持部材１の間に被覆光ファイバを挟み込むようになっており、各把持部材１の相手側の把持部材１に対する合わせ面２ａには、被覆光ファイバに当接される把持用突起４が突設されている。両側の把持用突起４の間に被覆光ファイバを挟み込んだまま、一対の把持部材１および／または被覆光ファイバの移動によって、両側の把持用突起４による被覆光ファイバの把持位置を被覆光ファイバの長手方向に沿って移動させることで、被覆光ファイバにおける外装被覆の付着力が低下させられる。【選択図】　図１
2004145081.tif 000002
【特許請求の範囲】
【請求項１】
テープ心線（Ｔ）から単心分離された被覆光ファイバ（２０）の外装被覆（２２）の除去作業に用いられる光ファイバ心線テープ被覆除去具であって、
一対の可動片（１１）を回転自在に支持した鋏形に構成され、各可動片の先端（１２）同士を近づけることで、各可動片の先端に取り付けられている把持部材（１）の間に被覆光ファイバを挟み込むようになっており、
各把持部材の相手側の把持部材に対する合わせ面（２ａ）には、前記被覆光ファイバに当接される把持用突起（４）が突設されており、両側の把持部材の把持用突起の間に被覆光ファイバを挟み込んだまま、一対の把持部材および／または被覆光ファイバの移動によって、両側の把持部材の把持用突起による被覆光ファイバの把持位置（２３）を前記被覆光ファイバの長手方向に沿って移動させることで、被覆光ファイバにおける前記外装被覆の付着力を低下せしめるようになっていることを特徴とする光ファイバ心線テープ被覆除去具（１０）。
【請求項２】
一対の把持部材の前記把持用突起の前記被覆光ファイバに当接させる当接面（４ａ）に、一対の把持部材の間に挟み込む前記被覆光ファイバの長手方向に沿った方向に１〜３ｍｍの寸法が確保されていることを特徴とする請求項１に記載の光ファイバ心線テープ被覆除去具。
【請求項３】
一方または両方の把持部材の合わせ面には、把持部材同士を接近させたときに把持部材間における被覆光ファイバの収納領域を形成する突起状のファイバガイド部（５ａ〜５ｃ）が突設されており、このファイバガイド部によって形成される前記収納領域（６）に収納された光ファイバが、一対の把持部材の把持用突起の間に挟み込まれるようになっていることを特徴とする請求項１または２に記載の光ファイバ心線テープ被覆除去具。
【発明の詳細な説明】
【０００１】
【発明の属する技術分野】
本発明は、テープ心線から単心分離された被覆光ファイバの外装被覆を除去するために用いられる光ファイバ心線テープ被覆除去具に関する。
【０００２】
【従来の技術】
図６（ａ）は、従来使用されているテープ心線Ｔの一例を示す断面図である。このテープ心線Ｔは、光ファイバ素線２１ａの周囲に単心被覆２１ｂが設けられた光ファイバ心線（光ファイバ）２１を複数本（図では４本）有しており、これらの光ファイバ２１は、単心被覆２１ｂに密着して形成された外装被覆２２（テープ被覆）により、一括に被覆されている。
【０００３】
このようなテープ心線Ｔの外装被覆２２を除去して光ファイバ２１を露出させる方法としては、図６（ｂ）に示すようにテープ心線Ｔの光ファイバ２１同士の間を刃物で切り分けるなどして、被覆光ファイバ２０（２０Ａ〜２０Ｄ）を単心分離したのち、単心分離された被覆光ファイバ２０を手指などでつまみ、外装被覆２２を剥ぎ取って除去することで光ファイバ２１を露出させる方法がある。
【０００４】
また、対向して配置された一対の刃を有する工具を用い、この工具の刃によって被覆光ファイバ２０を挟み、刃を外装被覆２２に入れた状態で、刃を被覆光ファイバ２０の長手方向に沿って移動させることにより、外装被覆２２を除去する方法などがある（例えば、特許文献１、２参照）。
【０００５】
【特許文献１】
特開平０８−２９２３２７号公報
【特許文献２】
特開昭６１−００７８０６号公報
【０００６】
【発明が解決しようとする課題】
ところで、手指などで外装被覆２２を剥ぎ取る方法の場合、テープ心線Ｔの中央側の被覆光ファイバ２０Ｂ、２０Ｃは、該被覆光ファイバ２０Ｂ、２０Ｃの両側にて切断されて分離されているので、外装被覆２２を手指などで容易に剥ぎ取って除去することができる。
しかし、両端の被覆光ファイバ２０Ａ、２０Ｄは、該被覆光ファイバ２０Ａ、２０Ｄの片側のみで切断されて分離されているので、外装被覆２２と光ファイバ２１との付着力が強く、手指では容易に剥ぎ取ることができず、光ファイバ２１に無理な力で曲げや屈曲の力が加わり、光ファイバ２１を痛めてしまうおそれがあった。
【０００７】
また、一対の刃を有する工具を用いる方法では、刃先で光ファイバ２１を傷つけるおそれがある。
【０００８】
本発明は上記事情に鑑みてなされたものであって、光ファイバを傷つけることなく、被覆と光ファイバとの付着力を低下させて被覆を容易に除去できるようにする光ファイバ心線テープ被覆除去具を提供することを課題とする。
【０００９】
【課題を解決するための手段】
前記課題を解決するため、本発明は、一対の可動片を回転自在に支持した鋏形に構成され、各可動片の先端同士を近づけることで、各可動片の先端に取り付けられている把持部材の間に被覆光ファイバを挟み込むようになっており、
各把持部材の相手側の把持部材に対する合わせ面には、前記被覆光ファイバに当接される把持用突起が突設されている光ファイバ心線テープ被覆除去具を提供する。
このような光ファイバ心線テープ被覆除去具を用いて、両側の把持部材の把持用突起の間に被覆光ファイバを挟み込んだまま、一対の把持部材および／または被覆光ファイバの移動によって、両側の把持部材の把持用突起による被覆光ファイバの把持位置を前記被覆光ファイバの長手方向に沿って移動させ、被覆光ファイバをしごくことにより、被覆光ファイバにおける外装被覆と光ファイバとの間の付着力を低下させることができるので、外装被覆を容易に剥ぎ取って除去し、光ファイバを露出させることができる。
【００１０】
このような光ファイバ心線テープ被覆除去具においては、前記一対の把持部材の把持用突起の前記被覆光ファイバに当接させる当接面に、一対の把持部材の間に挟み込む前記被覆光ファイバの長手方向に沿った方向に１〜３ｍｍの寸法が確保されていることが好ましい。
また、一方または両方の把持部材の合わせ面には、把持部材同士を接近させたときに把持部材間における被覆光ファイバの収納領域を形成する突起状のファイバガイド部が突設されており、このファイバガイド部によって形成される前記収納領域に収納された光ファイバが、一対の把持部材の把持用突起の間に挟み込まれるようになっていることが好ましい。
【００１１】
【発明の実施の形態】
以下、実施の形態に基づいて、本発明を詳しく説明する。
図１は本発明の光ファイバ心線テープ被覆除去具（以下、単に「被覆除去具」ということがある）を示す正面図である。図２は、この被覆除去具の把持部材を示す（ａ）平面図、（ｂ）正面図、（ｃ）底面図、（ｄ）右側面図、（ｅ）左側面図である。図３は、把持部材に被覆光ファイバを載せた状態を示す斜視図である。
図４および図５は把持部材に被覆光ファイバを挟んだ状態を示し、図４は斜視図、図５（ａ）は側面図、図５（ｂ）は正面図である。
【００１２】
図１において、符号１０は被覆除去具である。この被覆除去具１０は、前端部１１ａ（図１における左側）の先端１２に把持部材１が取付けられた１対の可動片１１が、該可動片１１の中途部１１ｂに設けられた支軸１３の枢着により回転自在に支持されて、鋏形とされた構成となっている。
可動片１１は、屈曲した細長形状となっており、可動片１１の前端部１１ａと反対側の後端部１１ｃ（図１における右側）には、握り１４が設けられている。
【００１３】
また、両可動片１１の間には、可動片１１に対して、後端部１１ｃ同士が離間するように付勢するバネ１５が取り付けられている。このバネ１５は、可動片１１の後端部１１ｃを拡開する方向に付勢しており、このバネ１５の弾性力によって、可動片先端１２の把持部材１の間隔が縮小されるようになっている。
ここでは、バネ１５として、コイル部への支軸１３の挿通により可動片１１に対して取り付けられたねじりコイルバネ（トーションバネ）が用いられている。但し、バネ１５の種類は特に限定されるものではなく、圧縮コイルバネや薄板バネなどを用いることもできる。
【００１４】
握り１４を握持して、バネ１５の弾性力に抗して握り１４同士を近付けるように操作力を加えると、把持部材１同士が離間される。ここで、把持部材１間に被覆光ファイバ２０を挿入した状態で、握り１４への操作力を解除すると、バネ１５の弾性力によって、可動片先端１２の把持部材１の間隔が縮小され、被覆光ファイバ２０が把持部材１に挟み込まれて把持される。
ここで、可動片１１の前端部１１ａには、該前端部１１ａ同士が対向する位置に、凹所１６が形成されている。これにより、例えば多心光ファイバから単心分離された被覆光ファイバ２０の外装被覆２２を除去するときでも、当該被覆光ファイバ２０を把持部材１により把持したときに、他の被覆光ファイバ２０を挿通できる空間が凹所１６の間に確保され、他の被覆光ファイバ２０が可動片１１の前端部１１ａに挟み込まれてしまうことが防止される。
【００１５】
バネ１５の弾性力は、把持部材１により被覆光ファイバ２０を挟持したとき、該被覆光ファイバ２０に対して、外装被覆２２を傷つけることなく、光ファイバ２１と外装被覆２２との間の付着力を低下させるのに適度な圧力が働く程度となっている。
【００１６】
把持部材１は、プラスチックなど、被覆光ファイバ２０の表面に傷をつけない程度の硬さの材料からなり、合わせ面２ａを有する把持部材本体２と、この合わせ面２ａと反対側の裏面２ｂに突出するフランジ３を備えている。
把持部材本体２の形状は特に限定されるものではないが、ここでは、把持部材本体２は具体的にはプレート状となっている。
【００１７】
把持部材１は、フランジ３に形成された取付穴３ａに挿通された軸３ｂによって、可動片１１の先端１２に対して、両把持部材１が、互いに平行かつ可動片１１の長手方向に垂直な軸線をもって回転自在となるように、取り付けられている。軸３ｂの軸線は、支軸１３の軸線と平行になっている。
【００１８】
さらに、把持部材本体２の合わせ面２ａ側には、被覆光ファイバ２０に当接される当接面４ａを有する把持用突起４が突設されている。
ここでは、把持用突起４は、合わせ面２ａを横切って延在する突条となっており、当接面４ａは、幅Ｗが１〜３ｍｍ程度、確保されている。
【００１９】
合わせ面２ａの把持用突起４の一端側の延在方向上には、第１のファイバガイド部５ａが突設されており、かつ、把持用突起４の他端側には、第１のファイバガイド部５ａと対向して、第２および第３のファイバガイド部５ｂ、５ｃが、把持用突起４の延在方向の両側に設けられている。
これらのファイバガイド部５ａ〜５ｃは、図４に示すように、把持部材１の合わせ面２ａ側を向き合わせて接合する方向に近づけたとき、被覆光ファイバ２０を合わせ面２ａおよびファイバガイド部５ａ〜５ｃの間に挿通できるように、把持部材１間における被覆光ファイバ２０の収納領域６の周囲に配置されるようになっている。
【００２０】
この把持部材１には、把持部材１を向き合わせて接合させたときに、両把持部材１の把持用突起４が向かい合ったところに配置されるように位置決めする位置決め部材７を設けることが好ましい。ここでは、一方の把持部材１の第１のファイバガイド部５ａが、他方の把持部材１の第２および第３のファイバガイド部５ｂ、５ｃの間に嵌入するところに配置され、ファイバガイド部５ａ〜５ｃが位置決め部材７を兼ねるようになっている。
【００２１】
図２（ａ）に示すように、第２および第３のファイバガイド部５ｂ、５ｃは、軸３ｂの軸線方向（図２（ａ）の上下方向）において、合わせ面２ａの中央部に近づくにつれて、幅（図２（ａ）の左右方向の長さ）が広くなり、収納領域６の幅が狭くなるようになっている。
また、図２（ｂ）に示すように、第２および第３のファイバガイド部５ｂ、５ｃは、把持部材１の幅方向（図２（ｂ）の左右方向）において、合わせ面２ａの中央部に近づくにつれて、合わせ面２ａからの突出高さが低くなるようになっている。
【００２２】
符号８は、マーキングであり、把持部材１の裏面２ｂの適宜位置に、該裏面２ｂに設けられた凹所に彩色された小片を埋め込んだり、適当な塗料を塗布したりすることにより形成されている。
図２（ａ）に示すように、マーキング８は把持用突起４を中心に対向する位置に２個ずつ設けられている。図２（ｂ）に示すように、マーキング８の指示する領域は、収納領域６のほぼ真ん中に位置しており、ここに被覆光ファイバ２０を挿入することにより、収納領域６のほぼ真ん中に被覆光ファイバ２０を収納することができる。
【００２３】
次に、図１の被覆除去具１０を用いて、被覆光ファイバ２０の外装被覆２２を除去する手順の一例を説明する。
まず、図６に示すようなテープ心線Ｔから外装被覆２２（テープ被覆）の切断などにより、被覆光ファイバ２０を単心分離する。ここで、無論、テープ心線Ｔの心数は特に限定されるものではない。
【００２４】
被覆除去具１０の握り１４を握持して、両把持部材１を離間させる。そして、両把持部材１間に形成された収納領域６に、被覆光ファイバ２０を先端から必要な長さだけ挿入する。把持部材１には収納領域６を指示するマーキング８が形成されているので、このマーキング８を標識とすることにより、被覆光ファイバ２０を、把持用突起４に対してほぼ垂直の向きに位置させることができる。
【００２５】
ここで、握り１４への操作力を弱めると、バネ１５の弾性力により、把持部材１が近接する方向に付勢され、把持用突起４の当接面４ａが被覆光ファイバ２０に当接するまで、把持部材１の間隔が縮小する。さらに、バネ１５の弾性力により、被覆光ファイバ２０の側面に適度な圧力が加えられ、被覆光ファイバ２０が安定な姿勢で把持部材１間に挟持されるようになる。
被覆光ファイバ２０の姿勢としては、把持用突起４に挟まれて当接される方向（図５（ａ）の上下方向）がテープ心線Ｔの厚み方向（図６（ａ）の上下方向）と必ずしも一致するものではなく、軸周りに転がった他の姿勢であってもよい。
【００２６】
次いで、把持用突起４の当接面４ａが被覆光ファイバ２０の外装被覆２２に当接する把持位置２３が、当該被覆光ファイバ２０の長手方向に沿って、被覆光ファイバ２０の先端方向に向かって移動し、被覆除去具１０と被覆光ファイバ２０とのいずれか一方または両方を相対的に動かす。
このような操作により、光ファイバ２１と外装被覆２２との間にずれが生じて、光ファイバ２１と外装被覆２２との間の付着力が弱められる。
把持位置２３の移動は、通常、外装被覆２２を除去したい範囲で、被覆光ファイバ２０の先端方向に向かう一方向に、一回のみ行えばよい。一回の操作で光ファイバ２１と外装被覆２２との間の付着力が充分に弱められない場合には、必要に応じて、同様の操作を複数回繰り返すようにしても有効である。
【００２７】
さらに、把持用突起４によってしごかれた部分の外装被覆２２を、手指などで剥ぎ取って除去することにより、光ファイバ２１が露出される。
このとき、把持用突起４によるしごきにより、外装被覆２２には部分的に裂け目や破れた箇所が生じることもあるので、このような箇所を起点にして外装被覆２２を剥ぎ取れば、作業が一層容易となる。
このように、本実施の形態の被覆除去具１０を用いれば、被覆光ファイバ２０の外装被覆２２を容易に除去することができる。光ファイバ２１に無理な力で曲げや屈曲の力が加わらないので、光ファイバ２１を痛めてしまうおそれもない。しかも、把持用突起４は外装被覆２２に切り込まれないので、把持用突起４によって光ファイバ２１が傷つけられるなどの不都合もない。
【００２８】
以上、本発明を好適な実施の形態に基づいて説明してきたが、本発明はこの実施の形態のみに限定されるものではなく本発明の要旨を逸脱しない範囲で種々の改変が可能である。
例えば，上記実施の形態においては、把持部材１は、可動片１１の先端１２に軸３ｂを介して回転可能に連結されていたが、これに限定されるものではない。被覆除去具１０は、把持部材１が可動片１１に対して固定されて構成としてもよく、また、把持部材１が可動片１１と一体に形成された構成としてもよい。
【００２９】
【発明の効果】
以上説明したように、本発明の光ファイバ心線テープ被覆除去具は、一対の可動片を回転自在に支持した鋏形に構成され、各可動片の先端同士を近づけることで、各可動片の先端に取り付けられている把持部材の間に被覆光ファイバを挟み込むようになっており、各把持部材の相手側の把持部材に対する合わせ面には、前記被覆光ファイバに当接される把持用突起が突設されているので、両側の把持部材の把持用突起の間に被覆光ファイバを挟み込んだまま、一対の把持部材および／または被覆光ファイバの移動によって、両側の把持部材の把持用突起による被覆光ファイバの把持位置を前記被覆光ファイバの長手方向に沿って移動させることで、被覆光ファイバにおける前記外装被覆の付着力を低下させることにより、外装被覆を剥ぎ取って除去することが容易に行える。
【００３０】
一対の把持部材の前記把持用突起の前記被覆光ファイバに当接させる当接面に、一対の把持部材の間に挟み込む前記被覆光ファイバの長手方向に沿った方向に１〜３ｍｍの寸法が確保されていることにより、把持用突起から被覆光ファイバに加えられる当接圧力を適度な大きさに調整することができ、把持用突起を被覆光ファイバに当接させたときに、把持用突起が被覆に突き刺さることが防止される。これにより、被覆除去具で被覆光ファイバをしごいたとき、把持用突起による被覆光ファイバの把持位置が、被覆光ファイバの長手方向に沿って滑らかに移動するようになり、当接力が被覆光ファイバの特定箇所に集中して光ファイバを痛める等の不都合が抑制される。
【００３１】
一方または両方の把持部材の合わせ面には、把持部材同士を接近させたときに把持部材間における被覆光ファイバの収納領域を形成する突起状のファイバガイド部が突設されており、このファイバガイド部によって形成される前記収納領域に収納された光ファイバが、一対の把持部材の把持用突起の間に挟み込まれるようになっている。
これにより、被覆光ファイバを把持部材間に挟み込むときや挟み込んだ後、被覆光ファイバをがファイバガイド部によってガイドされるので、被覆光ファイバの位置合わせが容易であり、収納領域から被覆光ファイバがはみ出すなどの不都合が抑制される。
【図面の簡単な説明】
【図１】本発明の光ファイバ心線テープ被覆除去具を示す正面図である。
【図２】把持部材を示す（ａ）平面図、（ｂ）正面図、（ｃ）底面図、（ｄ）右側面図、（ｅ）左側面図である。
【図３】把持部材に被覆光ファイバを載せた状態を示す斜視図である。
【図４】把持部材に被覆光ファイバを挟んだ状態を示す斜視図である。
【図５】把持部材に被覆光ファイバを挟んだ状態を示す（ａ）側面図、（ｂ）正面図である。
【図６】（ａ）テープ心線の一例を示す断面図である。（ｂ）被覆光ファイバの一例を示す斜視図である。
【符号の説明】
Ｔ…テープ心線、１…把持部材、２…把持部材本体、２ａ…合わせ面、３…フランジ、４…把持用突起、４ａ…当接面、５ａ〜５ｃ…ファイバガイド部、６…収納領域、８…マーキング、１０…光ファイバ心線テープ被覆除去具（被覆除去具）、１１…可動片、１２…可動片先端、１３…支軸、１４…握り、１５…バネ、１６…凹所、２０、２０Ａ〜２０Ｄ…被覆光ファイバ、２１…光ファイバ、２１ａ…光ファイバ素線、２１ｂ…単心被覆、２２…外装被覆、２３…把持位置。
【図１】
2004145081.tif 000003
【図２】
2004145081.tif 000004
【図３】
2004145081.tif 000005
【図４】
2004145081.tif 000006
【図５】
2004145081.tif 000007
【図６】
2004145081.tif 000008